(57)【要約】【課題】切れ味を損なうことなく安全性を高めた用紙切断装置を提供することである。【解決手段】プリンタを内蔵した本体ケースに形成された用紙の発行口に、前記用紙の紙幅に合わせた長さの切刃７を備えると共にこの切刃７を前記本体ケースの外面に露出させて取り付けられたカッター８が設けられた用紙切断装置において、前記カッター８の前記切刃７の幅方向両側にのみ刃先の潰し１３を施した。【選択図】図３
2007118093.tif 000002
【特許請求の範囲】
【請求項１】
プリンタを内蔵した本体ケースに形成された用紙の発行口に、前記用紙の紙幅に合わせた長さの切刃を備えると共にこの切刃を前記本体ケースの外面に露出させて取り付けられたカッターが設けられた用紙切断装置において、前記カッターの前記切刃の幅方向両側にのみ刃先の潰しを施したことを特徴とする用紙切断装置。
【発明の詳細な説明】
【技術分野】
【０００１】
本発明は、売上項目と売上価格とを印刷したレシート用紙を発行する電子レジスタや端末装置などのデータを印刷して発行する用紙切断装置に関するものである。
【背景技術】
【０００２】
従来、電子レジスタ等において、レシート用紙の発行形態は、二種類のものがある。すなわち、顧客毎に締め動作が行われると、内蔵されたカッターにより長尺状の印刷用紙を切断し、顧客毎に分離されたレシートを発行する第一の形式のものと、売上項目や売上金額等のデータは印刷されるものの、レシート発行口にレシート用紙を突出させるだけであり、レシートの受け取りは、オペレータや顧客が手で切り取って行う、いわゆる、手切りカットを行う第二の形式のものとである。
【０００３】
第二の形式の用紙切断装置においては、プリンタを内蔵した本体ケースに形成されたレシート発行口等の用紙発行口から飛び出した用紙の一端を摘んで斜めに動かすことにより用紙にカッターの切刃を喰い込ませて切断しているものである。そのため、用紙の自由端側を上下及び左右に動かすことができるようにすることが必要であり、用紙を切断する切刃がプリンタを内蔵した本体ケースの内部に位置する場合には、用紙切断を行うことができないため、カッターの切刃は本体ケースからある程度露出した状態で組立てられているものである。
【０００４】
また、カッターの切刃の形状に着目すると、用紙との滑りを防止して確実な切断を行うことができるように、その切刃の形状は、プレス加工等により鋸歯状に形成されている。そして、切れ味を一層向上させるため、カッターの切刃全体にわたって、潰しを施している。ここで、「潰し」とは、切刃の刃先が尖鋭になるように変形させることであり、切刃の刃先の厚さ寸法はカッターの厚さに較べて半分以下になって鋭利な状態になっている。
【０００５】
また、この形式の用紙切断装置において、用紙切断の切れ味を向上させる手段として特許文献１に記載されたカッターの形状がある。すなわち、特許文献１に記載されたカッターは、切断すべき用紙の幅方向に形成された切刃が全体的に湾曲しているものであり、用紙の自由端を手で引っ張ったときにその用紙と切刃との噛み合い位置が局部的であり、切断の進行と共に噛み合い位置が変化するようにしたものであり、これにより、軽い力で切断することができるように配慮されたものである。
【０００６】
【特許文献１】特開平１０−２７７９８８号公報
【発明の開示】
【発明が解決しようとする課題】
【０００７】
従来の第二の形式の用紙切断装置において、用紙切断の切れ味を向上させるためにカッターの刃先は、全体的に潰しが施されている。そのため、使用時にカッターにより手に傷を付けるおそれが多分にある。すなわち、プリンタを内蔵した本体ケースから露出しているカッターの刃先は鋭利であり、レシート等を取り出すためには、カッターに近い位置にある用紙を手で持たなければならないため、手がカッターの刃先に接触し易く、安全性の点で問題がある。この点は、特許文献１に記載されたカッターにおいても同様である。また、特許文献１に記載された形状のカッターを製造することは、形が複雑であるため、切刃形成が難しいという問題もある。
【課題を解決するための手段】
【０００８】
請求項１記載の発明は、プリンタを内蔵した本体ケースに形成された用紙の発行口に、前記用紙の紙幅に合わせた長さの切刃を備えると共にこの切刃を前記本体ケースの外面に露出させて取り付けられたカッターが設けられた用紙切断装置において、前記カッターの前記切刃の幅方向両側にのみ刃先の潰しを施したものである。
【発明の効果】
【０００９】
本発明によれば、プリンタを内蔵した本体ケースの用紙の発行口に設けられたカッターの切刃がその本体ケースの表面に露出していても、手切カットのために用紙を持った際に手がカッターの切刃に触れても、手が触れやすいカッターの切刃の中央部には潰しが施されていないため、手に傷を付けることがなく安全であり、用紙の切断機能について見れば、用紙切断の初期に切れ味がよければその全幅にわたっての切断は惰性により弱い力でも可能であるため、切れ味低下になることはなく、安全性の高い用紙切断装置を提供することができるものである。
【発明を実施するための最良の形態】
【００１０】
本発明の実施の態様を図面に基づいて説明する。本実施の態様は、電子レジスタ１に関するものであり、その全体形状を図１に示す。この電子レジスタ１は、ドロワ２の上に本体ケース３が一体的に載置固定されているものであり、この本体ケース３には、ＬＥＤ、ＬＣＤを用いた表示手段４が設けられており、また、その内部には、図示しないがプリンタによる印刷手段が設けられている。そして、前記本体ケース３には、所定幅の長尺状の用紙５に前記印刷手段により売上項目や売上金額等が印刷されたレシートを発行する発行口６が形成されており、この発行口６には、前記レシートを形成するための用紙５の紙幅に合わせた長さの切刃７を有するカッター８が設けられている。このカッター８の切刃７は、前記本体ケース３の表面に露出している。しかしながら、本体ケース３に不用意に触ることにより前記カッター８の切刃７に手等が接触しないように、前記カッター８の切刃７は、その両側に所定寸法立ち上がった側壁９を有する凹部１０内に配設されている。また、前記カッター８の具体的な寸法は、使用する用紙５の幅寸法により種々のものがあるが、その一例を挙げると、板厚が０．５ｍｍ、長さが６２．７５ｍｍ、６０度の角度をもって「く」の字形に屈曲した取付面１１の幅が５．５ｍｍ、切刃部１２の断面長さが３．５ｍｍ、切刃７の長さが０．８ｍｍ、端縁から最初の切刃７の突出位置が０．８７５ｍｍ、鋸歯状の切刃７の間隔が１．０ｍｍである。しかして、前記カッター７の切刃６は、前述のように鋸歯状に形成されているものであり、その両端部には、端縁から５ｍｍ程度の長さの範囲に潰し１３が施されている。この潰し１３は、図６に示すように、先端を０.２ｍｍ以下の厚さにするように尖鋭にしたものであり、前記切刃７の切れ味を向上させているものである。そのため、前記切刃７の中央部は、潰しが施されていないものであり、切れ味は多少低下しているものであるが、手を触れても傷が付くことがない安全性があるものである。
【００１１】
このようなカッター８の取付構造に関しては、従来実施されているものと全く変わるところはない。従来との相違点は、カッター８の切刃７の全体に潰し１３が施されているか、施されていないか、という点である。すなわち、本実施の態様においては、前記カッター８の前記切刃７の幅方向両側にのみ刃先の潰し１３を施した点に特徴があるものである。
【００１２】
このような構成において、カッター８はその取付面１１（この面には、プレス抜き時のバリが発生しないように配慮している）を本体ケース３内に設けられたベース等に取り付けられているものであるが、内部に設けられたプリンタからは必要事項が印刷された用紙５が図２に示すように斜め上方に向けて排出される。この排出された用紙５の自由端を手で把持して斜め上方へ引っ張ることにより、カッター８に接触する位置から用紙５は切断される。すなわち、用紙５の自由端を右側斜め上方へ引っ張ると、用紙５の左側から右側に向けて用紙５は切断され、レシートが形成される。すなわち、レシートが手切カットされる。
【００１３】
このような手切カットの操作を行う場合、用紙５が最初に切断する位置は、カッター８の切刃７の潰し１３を施した部分であるため、カッター８による切れ味はきわめて良好であり、大きな力を要することなく切断が開始される。この切断が開始されると、切断開始前の力がある程度かかっているため、切断の進行は惰性により急速に進行し、潰し１３が施されていない部分に達しても大きな抵抗なく切断が進行する。そして、用紙５の自由端側がどこにも接触しなければ、最後まで確実に切断されるものであるが、発行口６に形成された凹部１０の形状によっては、切断終期において、用紙５が側壁９に接触することがある。この場合には、切断のための用紙５の引張力の方向が角度のないものとなり、切断動作に影響があるが、この切断終期においては、用紙５の切断箇所がカッター８の切刃７の潰し１３が施された位置に達しているため、弱い力でも切断が可能であるため、最後まで軽い力で切断される。したがって、用紙５の自由端を把持して切断するときに、右上方斜めに力を与えても、左上方斜めに力を与えても、どちらの方向も良好な切断作用を得ることができる。
【００１４】
しかして、本実施の形態において、重要な作用は、カッター８の切刃７の中央部に潰し１３が施されていないことによる安全性が確保されていることである。すなわち、発行口６に取り付けられているカッター８は、凹部１０内に位置していることから、本体ケース３から露出しているものの、本体ケース３の表面を撫ぜたりしても手がカッター８に触れることがなく、安全であるように配慮されているものである。しかしながら、手切カットする場合には、発行口６から発行される用紙５を摘む動作をしなければならないものであり、手がカッター８の切刃７に接触することは避けられない。そのため、従来の装置においては、手切カットを注意深く行わなければならなかったものであるが、本実施の形態においては、手切カットにより手がカッター８の切刃７に接触してもその接触部には潰し１３が施されていないため、手に傷が付くことがなく、きわめて安全であり、手切カットの操作を格別な注意をもって行う必要がない。
【００１５】
このように、本実施の形態においては、カッター８の切刃７の幅方向両側にのみ刃先の潰し１３を施したことにより、用紙の切れ味を損なうことなく、安全性を高めることができるようにしたものである。
【産業上の利用可能性】
【００１６】
前述の実施の態様の電子レジスタにおけるレシート発行等の分野のみならず、測定データを印刷して測定者にデータ提供をするようにした自動血圧計などのように、手切カットですませることができる用紙を発行するようにしたものであれば、どのような分野での利用も可能なものである。
【図面の簡単な説明】
【００１７】
【図１】本発明の実施の態様を示す電子レジスタの斜視図である。
【図２】レシート発行時のカッターと用紙との位置関係を示す側面図である。
【図３】（イ）はカッターの平面図、（ロ）はカッターの側面図である。
【図４】カッターの側面の具体的寸法を示した側面図である。
【図５】図３（ロ）のＡ矢視方向のカッターの一部を拡大して鋸歯状部の詳細を示した平面図である。
【図６】カッターの切刃部を拡大した側面図である。
【符号の説明】
【００１８】
７    切刃、８    カッター、１３    潰し
【図１】
2007118093.tif 000003
【図２】
2007118093.tif 000004
【図３】
2007118093.tif 000005
【図４】
2007118093.tif 000006
【図５】
2007118093.tif 000007
【図６】
2007118093.tif 000008